(57)【特許請求の範囲】
【請求項１】
発電プラントのプロセスデータを保存するプロセスデータのデータベースにおける複数の関連プロセスデータの関連プロセスデータＩＤを関連プラント状態に対応してタグとして格納した運転要領のデータベースを備え、運転員が操作するコンソールでの当該運転員による操作に対応して関連プラント状態に対応した複数の関連プロセスデータＩＤにより前記プロセスデータのデータベースから関連プロセスデータを検索し当該検索した関連プロセスデータおよび運転要領を前記運転員が操作するコンソールおよび前記運転員とは異なる発電プラント従事者が操作するコンソールに表示する発電プラントの運転要領表示システムであって、
複数画面同時表示機能部および画面送信機能部を有する運転要領表示機能部、運転要領検索機能部、および運転要領参照記録機能部を有し、
前記運転員が操作するコンソールで前記運転要領の要求が行われると、前記運転要領表示機能部で受け取り、前記運転要領表示機能部が受け取った前記運転要領の要求を、前記運転要領検索機能部に送信し、
前記運転要領検索機能部は、前記運転要領の要求を受信すると、前記運転要領の要求の内容に応じて前記運転要領のデータベースを検索し、要求内容に応じた運転要領項目を抽出し、当該抽出した運転要領項目を運転要領検索機能部に返信し、
前記運転要領検索機能部は、受信した前記運転要領項目を、運転要領表示機能部に返信し、
前記運転要領表示機能部は、返信されてきた前記運転要領項目を参照し、当該運転要領項目に含まれる関連プロセスデータＩＤを運転要領参照記録機能部に送り、
前記運転要領参照記録機能部は、受信した前記関連プロセスデータＩＤをもとに、発電プラント運転管理システムのプロセスデータのデータベースから関連プロセスデータ値を収集して前記運転要領表示機能部に前記関連プロセスデータＩＤとともに送信し、
運転要領表示機能部は、前記運転要領項目の中のプロセスデータＩＤと、前記運転要領参照記録機能部から前記関連プロセスデータ値と共に送信されてきた前記関連プロセスデータＩＤとを照合し、この照合により一致した前記関連プロセスデータＩＤに対応した前記運転要領項目と前記関連プロセスデータ値とを併せて前記運転員が操作するコンソールの運転要領表示用ＶＤＵ装置に表示し、
前記複数画面同時表示機能部により、前記運転員が操作するコンソールと前記運転員とは異なる発電プラント従事者が操作するコンソールとで参照する前記運転要領項目を共有し、
前記運転員が操作するコンソールおよび前記運転員とは異なる発電プラント従事者が操作するコンソールの一方のコンソールで参照している前記運転要領項目を他方のコンソールに、前記画面送信機能部によって送信され、前記運転員が操作するコンソールの前記運転要領表示用ＶＤＵ装置および前記運転員とは異なる発電プラント従事者が操作するコンソールの運転要領表示用ＶＤＵ装置に同じ運転要領が表示される
ことを特徴とする発電プラントの運転要領表示システム。
【請求項２】
請求項１に記載の発電プラントの運転要領表示システムにおいて、前記運転員の操作手順と前記運転員の操作時のプラントのプロセスデータを外部データベースに保存することを特徴とする発電プラントの運転要領表示システム。
【請求項３】
請求項１または請求項２に記載の発電プラントの運転要領表示システムにおいて、発電プラントの運転要領表示システムが発電プラント運転管理システムにおける運転要領表示システムであることを特徴とする発電プラントの運転要領表示システム。
【請求項４】
請求項１または請求項２に記載の発電プラントの運転要領表示システムにおいて、発電プラントの運転要領表示システムが訓練用シミュレータにおける運転要領表示システムであることを特徴とする発電プラントの運転要領表示システム。
【請求項５】
請求項４に記載の発電プラントの運転要領表示システムにおいて、前記運転員の操作手順と前記運転員の操作時のプラントのプロセスデータを初期状態とすることを特徴とする発電プラントの運転要領表示システム。 
【発明の詳細な説明】
【技術分野】
【０００１】
この発明は、原子力発電所等の発電プラント監視、制御を行なう発電プラント運転管理システム、または運転訓練を行う運転訓練シミュレータシステムに使用される発電プラントの運転要領表示システム、特に、運転員がプラントの状況によって運転要領を確認するための発電プラントのプラント運転要領表示システムに関するものである。
【背景技術】
【０００２】
従来のプラント運転支援システムにおける運転要領表示システムにおいては、プラント運転員が操作時に参照する運転手順書において、運転員が現在のプロセスデータとの比較を行うことによって操作の判断を行う場合、当該判断を助けるために、過去の運転時のプラントのデータを表示する機能を有している。（例えば特許文献１参照）
【先行技術文献】
【特許文献】
【０００３】
【特許文献１】特開２０００−３４８２２６号公報（図１及びその説明）
【発明の概要】
【発明が解決しようとする課題】
【０００４】
従来のプラント運転支援システムにおける運転要領表示システムは図１０に示してあるが、このような従来のプラント運転支援システムにおける運転要領表示システムにおいては、プロセスデータは図１１に示すような運転履歴ＤＢに保存することにより実現されている。運転履歴データは、運転操作によって収集されたプロセスデータを、操作タグと保存日時（操作日時）をキーとして履歴ＤＢに保存されるようになっている。このため、操作対象となった単一のデータについてのみ保存されるため、連携する他の複数のデータを履歴として参照できないという課題があった。
【０００５】
また、実際に操作対象となったデータ以外のプロセスデータは履歴として保存されないため、運転訓練シミュレータで運転訓練の初期状態として、実プラントのプロセスデータを流用することができないという問題もあった。
さらに、従来のシステムにおいては、特許文献１の請求項３にも記載されているように「プロセスデータは、運転手順の表示中に情報要求入力部から入力された操作情報要求に基づいて、プロセスデータ収集部からプロセスデータを（各プラント運転支援部にある）履歴データベースに記録する」仕組みとなっているが、このような構成の場合は、例えば、運転訓練シミュレータなどでプロセスデータを流用する際に、欠測データや不信頼データによりプロセスデータを修正する場合、履歴データベースに記録されているデータは入力された操作情報により各プラント支援部により異なっており、またプラント支援部も複数存在するため、全てのデータを修正することは複数で、かつ存在するか否か不明なデータベースを逐次確認する必要があるため、非常に困難であるという問題があった。
【０００６】
この発明は、前述のような実情に鑑みてなされたもので、プロセスデータの参照表示が単一のデータのみに特定されず関連する複数のプロセスデータを参照表示できるようにすることを目的とするものである。
【課題を解決するための手段】
【０００７】
この発明に係る発電プラントの運転要領表示システムは、発電プラントのプロセスデータを保存するプロセスデータのデータベースにおける複数の関連プロセスデータの関連プロセスデータＩＤを関連プラント状態に対応してタグとして格納した運転要領のデータベースを備え、運転員が操作するコンソールでの当該運転員による操作に対応して関連プラント状態に対応した複数の関連プロセスデータＩＤにより前記プロセスデータのデータベースから関連プロセスデータを検索し当該検索した関連プロセスデータおよび運転要領を前記運転員が操作するコンソールおよび前記運転員とは異なる発電プラント従事者が操作するコンソールに表示する発電プラントの運転要領表示システムであって、
複数画面同時表示機能部および画面送信機能部を有する運転要領表示機能部、運転要領検索機能部、および運転要領参照記録機能部を有し、
前記運転員が操作するコンソールで前記運転要領の要求が行われると、前記運転要領表示機能部で受け取り、前記運転要領表示機能部が受け取った前記運転要領の要求を、前記運転要領検索機能部に送信し、
前記運転要領検索機能部は、前記運転要領の要求を受信すると、前記運転要領の要求の内容に応じて前記運転要領のデータベースを検索し、要求内容に応じた運転要領項目を抽出し、当該抽出した運転要領項目を運転要領検索機能部に返信し、
前記運転要領検索機能部は、受信した前記運転要領項目を、運転要領表示機能部に返信し、
前記運転要領表示機能部は、返信されてきた前記運転要領項目を参照し、当該運転要領項目に含まれる関連プロセスデータＩＤを運転要領参照記録機能部に送り、
前記運転要領参照記録機能部は、受信した前記関連プロセスデータＩＤをもとに、発電プラント運転管理システムのプロセスデータのデータベースから関連プロセスデータ値を収集して前記運転要領表示機能部に前記関連プロセスデータＩＤとともに送信し、
運転要領表示機能部は、前記運転要領項目の中のプロセスデータＩＤと、前記運転要領参照記録機能部から前記関連プロセスデータ値と共に送信されてきた前記関連プロセスデータＩＤとを照合し、この照合により一致した前記関連プロセスデータＩＤに対応した前記運転要領項目と前記関連プロセスデータ値とを併せて前記運転員が操作するコンソールの運転要領表示用ＶＤＵ装置に表示し、
前記複数画面同時表示機能部により、前記運転員が操作するコンソールと前記運転員とは異なる発電プラント従事者が操作するコンソールとで参照する前記運転要領項目を共有し、
前記運転員が操作するコンソールおよび前記運転員とは異なる発電プラント従事者が操作するコンソールの一方のコンソールで参照している前記運転要領項目を他方のコンソールに、前記画面送信機能部によって送信され、前記運転員が操作するコンソールの前記運転要領表示用ＶＤＵ装置および前記運転員とは異なる発電プラント従事者が操作するコンソールの運転要領表示用ＶＤＵ装置に同じ運転要領が表示される
ものである。
【発明の効果】
【０００８】
この発明は、発電プラントのプロセスデータを保存するプロセスデータのデータベースにおける複数の関連プロセスデータの関連プロセスデータＩＤを関連プラント状態に対応してタグとして格納した運転要領のデータベースを備え、運転員が操作するコンソールでの当該運転員による操作に対応して関連プラント状態に対応した複数の関連プロセスデータＩＤにより前記プロセスデータのデータベースから関連プロセスデータを検索し当該検索した関連プロセスデータおよび運転要領を前記運転員が操作するコンソールおよび前記運転員とは異なる発電プラント従事者が操作するコンソールに表示する発電プラントの運転要領表示システムであって、
複数画面同時表示機能部および画面送信機能部を有する運転要領表示機能部、運転要領検索機能部、および運転要領参照記録機能部を有し、
前記運転員が操作するコンソールで前記運転要領の要求が行われると、前記運転要領表示機能部で受け取り、前記運転要領表示機能部が受け取った前記運転要領の要求を、前記運転要領検索機能部に送信し、
前記運転要領検索機能部は、前記運転要領の要求を受信すると、前記運転要領の要求の内容に応じて前記運転要領のデータベースを検索し、要求内容に応じた運転要領項目を抽出し、当該抽出した運転要領項目を運転要領検索機能部に返信し、
前記運転要領検索機能部は、受信した前記運転要領項目を、運転要領表示機能部に返信し、
前記運転要領表示機能部は、返信されてきた前記運転要領項目を参照し、当該運転要領項目に含まれる関連プロセスデータＩＤを運転要領参照記録機能部に送り、
前記運転要領参照記録機能部は、受信した前記関連プロセスデータＩＤをもとに、発電プラント運転管理システムのプロセスデータのデータベースから関連プロセスデータ値を収集して前記運転要領表示機能部に前記関連プロセスデータＩＤとともに送信し、
運転要領表示機能部は、前記運転要領項目の中のプロセスデータＩＤと、前記運転要領参照記録機能部から前記関連プロセスデータ値と共に送信されてきた前記関連プロセスデータＩＤとを照合し、この照合により一致した前記関連プロセスデータＩＤに対応した前記運転要領項目と前記関連プロセスデータ値とを併せて前記運転員が操作するコンソールの運転要領表示用ＶＤＵ装置に表示し、
前記複数画面同時表示機能部により、前記運転員が操作するコンソールと前記運転員とは異なる発電プラント従事者が操作するコンソールとで参照する前記運転要領項目を共有し、
前記運転員が操作するコンソールおよび前記運転員とは異なる発電プラント従事者が操作するコンソールの一方のコンソールで参照している前記運転要領項目を他方のコンソールに、前記画面送信機能部によって送信され、前記運転員が操作するコンソールの前記運転要領表示用ＶＤＵ装置および前記運転員とは異なる発電プラント従事者が操作するコンソールの運転要領表示用ＶＤＵ装置に同じ運転要領が表示される
ので、発電プラントの運転要領表示システムにおいてプロセスデータの参照表示が単一のデータのみに特定されず関連する複数のプロセスデータを参照表示でき、また、運転員とは異なる発電プラント従事者が運転員の判断根拠となる情報を共有することができる効果がある。
【図面の簡単な説明】
【０００９】
【図１】この発明の実施の形態１を示す図で、運転要領表示システムのシステム構成の一例を示す図である。
【図２】この発明の実施の形態１を示す図で、運転要領項目データベースのデータ構成の一例を示す図である。
【図３】この発明の実施の形態１を示す図で、運転員参照記録データベースのデータ構成の一例を示す図である。
【図４】この発明の実施の形態１を示す図で、表示される運転要領書の一例を示す図である。
【図５】この発明の実施の形態１を示す図で、図１の動作フローの一例を示すフローチャートである。
【図６】この発明の実施の形態２を示す図で、運転要領表示システムのシステム構成の他の一例を示す図である。
【図７】この発明の実施の形態２を示す図で、運転要領表示機能の詳細機能の一例を示す図である。
【図８】この発明の実施の形態３を示す図で、運転要領表示システムのシステム構成の更に他の一例を示す図である。
【図９】この発明の実施の形態４を示す図で、運転要領表示システムのシステム構成の更に他の一例を示す図である。
【図１０】従来のシステム構成を示す図である。
【図１１】従来のシステムにおける運転履歴データベースを示す図である。
【発明を実施するための形態】
【００１０】
実施の形態１．
以下この発明の実施の形態１を図１〜図５により説明する。
【００１１】
図１において、１は発電所プラント設備、２は運転員がプラントの状態を監視、操作するプラント運転管理システム、３はプラント設備とプラント運転管理システムを接続するプラントネットワーク（特許文献１における施設統括ＬＡＮ３０３に相当）、４は運転員にプラントの操作手順を示す運転要領表示システムである。
【００１２】
運転においては、運転を行う運転員が操作する運転員用コンソール５と、運転員に指示を与えたり運転員の操作を確認する運転司令員が作業する運転司令員用コンソール６の２つのコンソールがある。尚、一般的に運転司令員用コンソール６においては、プラント状態の表示は運転員用コンソール５と同様に行われるが、プラントの運転操作は行うことができない。
【００１３】
プラント運転管理システム２は、プラントネットワーク３経由でプロセスデータを収集するプロセスデータ収集機能を有する運転データ収集機能部７と、運転員に運転状態やプロセスデータを表示する運転管理表示機能部８と運転員に表示を行う運転用ＶＤＵ装置９と、運転員が行った操作を記録する運転操作記録データベース（図では運転操作記録ＤＢと略記してある）１０、運転データ収集機能が収集したプロセスデータを保存するプロセスデータのデータベース（図ではプロセスデータＤＢと略記してある）１１とから構成される。なお、プラント運転管理システム２の運転司令員用コンソール６には、指令用ＶＤＵ装置６１が設けられている。
【００１４】
また、運転要領表示システム４は、運転員が運転要領を参照する運転要領表示用ＶＤＵ装置１２と、運転要領表示用ＶＤＵ装置１２を経由して、運転員による運転要領操作や運転要領自体の表示を実行する運転要領表示機能部１３と、実際に表示を行う運転要領表示機能部１３からの要求により運転要領項目をデータベース化した運転要領項目データベース（図では運転要領項目ＤＢと略記してある）１４を検索する運転要領検索機能部１５とからなる。さらにプラント運転管理システム２のデータと連携するために運転要領参照記録機能部１６と運転員参照記録データベース（図では運転員参照記録ＤＢと略記してある）１７とを設ける。
【００１５】
プラント運転管理システム２の運転データ収集機能部７と、運転要領表示システム４の運転要領検索機能部１５とは、運転システム専用ネットワーク１８を介して接続されている。
【００１６】
また、運転要領項目データベース１４のデータ構成は図２に例示してある。図２に例示のように、運転要領項目データベース１４は、実際の運転内容を示す運転要領項目１〜ｍと、その運転内容に対応する関連プラントの状態１〜ｍと、さらに対応する運転要領で、操作時に参照することが指定されている複数プロセスデータのＩＤ（以下、プロセスデータのＩＤは「プロセスデータＩＤ」と記す）を示す関連プロセスデータID1-1,ID1-2,・・・,ID1-n,ID2-1,ID2-2,・・・,ID2-n,Idm-1,Idm-2,・・・,IDm-nと、から構成される。
【００１７】
また、運転員参照記録データベース１７のデータ構成は図３に例示してある。図３に例示のように、運転員参照記録データベース１７は、時刻１〜ｍに対応する参照運転要領項目１〜ｍと、さらに対応する運転操作内容１〜ｍと、さらに対応する関連プロセスデータ値1-1,1-2,・・・,1-n,2-1,2-2,・・・,2-n,m-1,m-2,・・・,m-nと、から構成される。
【００１８】
また、運転要領書の事例を図４に示してある。図４に例示してあるように、運転要領書には複数の手順１−１，１−２が準備されており、各手順に対応して、どの手順を選択するかのチェック欄、担当（例えば、個人、全員等）、操作内容（例えば、××××の解除、××××の加圧状態確認、等）、操作画面の種別（例えば、ＣＲＴ画面ｘｘ、ＣＲＴ画面ｙｙｙ等）、関連プロセスデータ（Ａ０００１，・・・ＮＡ００３１・・・等）が、運転要領書として、運転要領表示用ＶＤＵ装置１２に表示される。
【００１９】
次に動作について図５を用いて説明する。
【００２０】
一般的に、プラント運転管理システムにおいては、発電プラント設備の運転状況に応じたプロセスデータ値が、プラントネットワーク３を経由してプラント運転管理システム２に入力される。プラント運転管理システム２は、運転員用コンソール５に配置された運転員が、運転用ＶＤＵ装置９上でキーボードやタッチパネルやマウス等のポインティングデバイス等により操作を行うことによりプラントの運転操作を行う。
【００２１】
ここで、運転員がプラントの運転状態により運転要領を参照するために、運転員用コンソール５にて例えばページ番号を入力したり、警報表示画面に表示されている警報に予め関連付けられている章番号を入力することにより適切な運転要領を要求する(ステップS001)。
【００２２】
ステップS001での要求が行われると、システムは、運転要領表示機能部１３で受け取り、当該受け取った要求を、運転要領検索機能部１５に送信する(ステップS002)。
【００２３】
運転要領検索機能部１５は、ステップS002での要求を受信すると、要求内容に応じて運転要領項目データベース１４を検索し、要求内容に応じた運転要領項目（図２参照）を抽出し、当該抽出した運転要領項目を運転要領検索機能部１５に返信する(ステップS003)。
【００２４】
運転要領検索機能部１５は、ステップS003で受信した運転要領項目を、運転要領表示機能部１３に返信する(ステップS004)。
【００２５】
運転要領表示機能部１３は、ステップS004で返信されてきた運転要領項目を参照し、項目に含まれる関連プロセスデータＩＤ（図２参照）を運転要領参照記録機能部１６に送る（ステップS005）。
【００２６】
運転要領参照記録機能部１６は、ステップS005で受信した関連プロセスデータのＩＤをもとに、プラント運転管理システム２のプロセスデータのデータベース１１から関連プロセスデータ値（図３参照）を収集し、運転要領表示機能部１３に、プロセスデータＩＤとともに送信する。運転要領表示機能部１３は、運転要領項目中のプロセスデータＩＤ（図２参照）と、運転要領参照記録機能部１６から関連プロセスデータ値（図３参照）と共に送信されてきたプロセスデータＩＤとを照合し、一致したプロセスデータＩＤ（例えばID1）に対応した運転
要領項目と関連プロセスデータ値とを併せて運転員用コンソールの運転要領表示用ＶＤＵ装置１２に表示する（ステップS006）。
【００２７】
以上により、運転員は、運転要領表示用ＶＤＵ装置１２に表示されている運転要領書と併せて、関連プラント状態（１〜ｍ）に対応したプロセスデータ値を参照しながらプラントの運転を行うことが可能となり、運転操作意思決定を的確かつ迅速に行うことが可能となる。
【００２８】
実施の形態２．
以下この発明の実施の形態２を図６および図７により説明する。
実施の形態２は、実施の形態１で作成したプロセスデータの値を含む運転員参照記録を運転司令員により参照することができる機能形態を例示してある。本機能を実現するために、図６に示すとおり、実施の形態１で説明した運転要領表示システム４において、運転司令員用コンソール６に司令員用の運転要領表示用ＶＤＵ装置６２を追加してある。
【００２９】
さらに運転要領表示機能部１３においては、図７に示すような機能の拡張を行う。すなわち、運転員用コンソール５と運転司令員用コンソール６とで参照する運転要領項目を共有できる複数画面同時表示機能部１３１、運転員用コンソール５または運転司令員用コンソール６で参照している運転要領項目を他方のコンソール６またはコンソール５に送信する画面送信機能部１３２、さらに運転司令員用コンソール６においては、運転員用コンソール５での運転要領項目の参照履歴を表示する運転コンソール参照履歴表示機能部１３３を追加してある。
【００３０】
例えば、複数画面同時表示機能部１３１により、運転司令員用コンソール６の運転要領表示用ＶＤＵ装置６２には、運転員が参照する運転員用コンソール５の運転要領表示用ＶＤＵ装置１２と同じ運転要領が表示される。これにより、運転司令員は、運転司令員用コンソール６から運転員と同じ運転要領を参照することが可能となり、運転司令員は、運転員の判断根拠となる情報を共有することができる。
【００３１】
また、司令員が運転員に操作手順を指示する場合に、運転司令員用コンソール６の運転要領表示用ＶＤＵ装置６２にて参照している運転要領項目を、運転要領表示機能部１３の画面送信機能部１３２により運転員用コンソール５の運転要領表示用ＶＤＵ装置１２に送信することにより、司令員から運転員に、より的確かつより迅速に指示を与えることが可能となる。
【００３２】
実施の形態３．
以下この発明の実施の形態３を図８により説明する。
実施の形態３は、実施の形態２で作成したプロセスデータの値を含む運転員参照記録データベース１７のデータを外部に出力し、出力したデータを運転員の運転訓練のための利用する形態を例示してある。
【００３３】
図８は、先に説明した運転操作記録データベース１０を備えたプラント運転管理システム２に、前記運転員参照記録データベース１７のデータを外部のMOやCD-ROM等の外部記録媒体に設定された外部データベースである運転員参照記録データベース１９（図では運転員参照記録ＤＢのコピーと記してある）へ出力するための参照記録出力機能部２０と、システム内の運転操作記録データベース１０のデータを外部のMOやCD-ROM等の外部記録媒体に設定された外部データベースである運転操作記録データベース２１（図では運転操作記録ＤＢのコピーと記してある）へ出力するための運転操作記録出力機能部２２と、プロセスデータを保存するプロセスデータのデータベースのデータを外部のMOやCD-ROM等の外部記録媒体に設定された外部データベースであるプロセスデータのデータベース２３（図ではプロセスデータＤＢのコピーと記してある）へ出力するためのプロセスデータ出力機能部２４を設けてある。
【００３４】
運転員または運転司令員は、一定のデータの蓄積が行われたと判断した時に、前述の参照記録出力機能部２０、運転操作記録出力機能部２２、プロセスデータ出力機能部２４を使用して、前記運転員参照記録データベース１７のデータを外部データベースである運転員参照記録データベース１９へ、運転操作記録データベース１０のデータを外部データベースである運転操作記録データベース２１へ、プロセスデータのデータベース１１のデータを外部データベースであるプロセスデータのデータベース２３へ、それぞれ出力する。これら出力により、外部データベースである運転員参照記録データベース１９には運転員参照記録データベース１７のデータのコピーが、外部データベースである運転操作記録データベース２１には運転操作記録データベース１０のデータのコピーが、外部データベースであるプロセスデータのデータベース２３にはプロセスデータのデータベース１１のデータのコピーが、それぞれ保存される。
【００３５】
一方、外部データベースである運転員参照記録データベース１９に保存された運転員参照記録データベース１７のデータのコピー、外部データベースである運転操作記録データベース２１に保存された運転操作記録データベース１０のデータのコピー、外部データベースであるプロセスデータのデータベース２３に保存されたプロセスデータのデータベース１１のデータのコピー、の各データは、運転操作訓練を行うための運転訓練シミュレータシステムで使用される。
【００３６】
実施の形態４．
以下この発明の実施の形態４を図９により説明する。図９は運転員が運転操作訓練を行うための運転訓練シミュレータシステムを例示してある。
図９に示すように、一般的に、運転訓練シミュレータの構成は、訓練のためプラント運転管理システムとほぼ同じ構成となる。但し、プラント運転管理システム２（図１，６，８を参照）は訓練用プラント運転管理システム２５となり、運転要領表示システム４（図１，６，８を参照）は訓練用運転要領表示システム２６となり、運転司令員用コンソール６（図１，６，８を参照）は運転訓練教官用コンソール２７となる。
また、実際の発電所プラント設備１（図１，６，８を参照）の代わりに発電所プラントの運転状況をデータとして出力する発電所プラント模擬装置２８が設置され、プラントネットワーク３（図１，６，８を参照）は訓練のための模擬データを送受信するためのプラント模擬ネットワーク２９に置き換えられる。
【００３７】
ここで、本運転訓練シミュレータ機能を実現するため、運転訓練シミュレータシステムの運転員参照記録データベース１７に、実際の発電所プラントの運転から生成された運転員参照記録データのコピーを保存した外部データベースである運転員参照記録データベース１９の内容をコピー入力する参照記録入出力機能部３０を設ける。
さらに発電所プラント模擬装置２８に、実際の発電所プラントで収集したプロセスデータのコピーを保存した外部データベースであるプロセスデータのデータベース２３のデータを読込み、運転訓練シミュレータシステムに入力する実プラントデータ入力機能部３１を設ける。
さらに、運転訓練シミュレータの運転操作記録データベース１０の運転操作記録データと、実際の発電プラントの運転要領表示システムからコピーした外部データベースである運転操作記録データベース２１の運転操作記録データとを比較する記録比較機能部３２を追加する。
また、運転訓練においては、運転司令員の代わりに運転訓練教官が配置される。このため運転司令員用コンソール６（図１，６，８を参照）は運転訓練教官用コンソール２７となる。
【００３８】
運転員が訓練を始める際の初期設定として、運転員参照記録データベース１７のデータと外部データベースであるプロセスデータのデータベース２３に保存のプロセスデータのデータベースのコピーから時刻情報を基にして、運転訓練シミュレータシステムに入力する。これにより、運転員は、実際のプロセスデータを参照するのみではなく、実際に使用されていた運転要領項目をシミュレータシステムで表示することができる。さらに運転訓練を進めることによって、運転操作記録データベース（図９では運転操作記録ＤＢと略記）１０と運転員参照記録データベース１７に訓練を受ける運転員の記録が蓄積される。
外部データベースであるプロセスデータのデータベース２３に保存のプロセスデータのデータベースのコピーを入力する際に、プロセスデータ中に欠測や不信頼データがあり、これが運転訓練にするため変更したい場合や、もしくは運転訓練のためにデータの一部を流用した作成や流用した変更をしたい場合に、プロセスデータのデータベース１１の１ケ所を修正することにより、運転訓練シミュレータで使用する全てのデータに反映でき、容易に対応することが可能である。
【００３９】
これらの機能により、運転訓練教官は、訓練中または訓練終了後に訓練員の評価や、また訓練員が自己の運転操作内容を評価のため、単にプラント運転操作記録を比較するのみではなく、運転操作の基準となる運転要領項目（実際に使用されていた運転要領項目）までも、他運転者との比較を行うことが可能となり、運転員自身の運転技術の向上を行うことが可能となる。
また、訓練を受ける運転員の記録が蓄積されるので、運転技術の習熟度の確認等も容易に実施することができる。
また、万が一、予期しないトラブル等が発生した場合、記録している運転記録やプロセスデータを逐次確認することにより、トラブルの原因の解析に使用することも可能である。
さらに運転操作と運転要領項目を関連づけて確認することが可能であることを活かし、シミュレータを運転要領項目に使用することが可能である。すなわち、プラント設備の更新等により運転要領の変更を検討する際に運転要領項目にプラントデータの基準値を記載したり検討することがあるが、その際に、設計上の基準値と実際のプロセスデータと運転要領項目とを自動的に関連して参照することができるため効率よく検討を行うことができる。
【００４０】
なお、各図中、同一符合は同一または相当部分を示す。
【００４１】
前述の実施の形態１〜４における特徴事項は、次の通りである。
特徴事項１．運転要領表示システムにおいて、運転員が実際に行った操作や作業項目と、その際のプラントの状態すなわちプロセスデータを連続的かつ総合的に記録し、運転司令員等の第三者が操作と同時に運転状況を確認したり、後からの判断手順を確認することを容易に行えるようにするものである。
特徴事項２．従来のシステムでは、欠測データや不信頼データにより後からデータの修正等を行った場合、プラントが保有するデータとは別に履歴データに保存されたデータも修正する必要があったが、このような必要がなくなる。
特徴事項３．運転手順（運転要領）データベースの各運転要領項目のデータとして参照する複数のプロセスデータＩＤを追加することにより、別途、連続的に保存されているプラントの運転プロセスデータを参照することを可能にするものである。
特徴事項４．運転要領表示システムと運転管理システムとを連繋することにより、操作員がプラントの運転を行う際の操作要領の表示を容易に行うだけではなく、操作時に運転要領に関連付けられたプロセスデータをまとめて参照することが可能となり、運転時の運転員の判断・意思決定をより迅速に行うことが可能である。また運転時プロセスデータを運転要領と組合せて参照することができるため、運転中に運転指令員等の第三者が運転状態や操作履歴と併せて意思決定の過程をより迅速に確認することができる。全プロセスデータを保存し、保存媒体に保存し、別に構築する運転訓練システム等の訓練データとして使用することも可能である。
特徴事項５．運転要領およびプロセスデータをコンソールに表示する発電プラントの運転要領表示システムにおいて、発電プラントのプロセスデータを保存するプロセスデータのデータベースにおける複数の関連プロセスデータＩＤを関連プラント状態に対応してタグとして格納した運転要領のデータベースを備え、前記コンソールでの運転員による操作に対応して関連プラント状態に対応した複数の関連プロセスデータＩＤにより前記プロセスデータのデータベースから関連プロセスデータを検索し当該検索した関連プロセスデータおよび運転要領を前記コンソールに表示することを特徴とする発電プラントの運転要領表示システムである。
特徴事項６．特徴事項５に記載の発電プラントの運転要領表示システムにおいて、前記当該検索した関連プロセスデータおよび運転要領が、前記運転員とは異なる発電プラント従事者のコンソールにも表示されることを特徴とする発電プラントの運転要領表示システムである。
特徴事項７．特徴事項５または特徴事項６に記載の発電プラントの運転要領表示システムにおいて、前記運転員の操作手順と前記運転員の操作時のプラントのプロセスデータを外部データベースに保存することを特徴とする発電プラントの運転要領表示システムである。
特徴事項８．特徴事項５〜特徴事項７の何れか一に記載の発電プラントの運転要領表示システムにおいて、発電プラントの運転要領表示システムが発電プラント運転管理システムにおける運転要領表示システムであることを特徴とする発電プラントの運転要領表示システム。
特徴事項９．特徴事項５〜特徴事項７の何れか一に記載の発電プラントの運転要領表示システムにおいて、発電プラントの運転要領表示システムが訓練用シミュレータにおける運転要領表示システムであることを特徴とする発電プラントの運転要領表示システムである。
特徴事項１０．特徴事項９に記載の発電プラントの運転要領表示システムにおいて、前記運転員の操作手順と前記運転員の時のプラントのプロセスデータを初期状態とすることを特徴とする発電プラントの運転要領表示システム。
特徴事項１１．原子力発電所の運転管理システム、または運転訓練を行う運転訓練シミュレータシステムにおいて、運転手順書の指示を参照しながら運転員が操作する際に、監視中のプラント状態に該当する手順と、その手順中で参照するプロセスデータのＩＤを、予め手順書中にタグとして埋め込んでおくことにより、運転員が手順書記載の手順を実行するとプロセスデータを含めた実行手順が自動的に記録され、プラント運転要領表示システムである。
特徴事項１２．原子力発電所の運転管理システム、または運転訓練を行う運転訓練シミュレータシステムにおいて、運転員が操作する運転コンソール装置に設置された運転要領表示装置と、運転指令員が参照する指令コンソール装置に設置された運転要領表示装置とを連携させる機能を設けることにより、運転員と運転司令員でプラント運転手順の進捗状況を共有することにより、運転員の操作の完了を運転指令が確認し次の操作に進むことが可能となり、ヒューマンエラーを防止することが可能なプラントの運転要領表示システム。特徴事項１３．特徴事項１２のシステムにおいて、記録された運転員が行った手順書記載の手順とその時のプロセスデータの状態を出力する機能を備えたプラント運転管理システムである。
特徴事項１４．上記特徴事項１３のシステムにおいて、出力された手順書記載の手順とその時のプロセスデータの状態を初期状態として使用して運転員の訓練が可能な運転員訓練シミュレータシステムである。
【符号の説明】
【００４２】
１  発電所プラント設備、２  プラント運転管理システム、３  プラントネットワーク、４  運転要領表示システム、５  運転員用コンソール、６  運転司令員用コンソール、６１  指令用ＶＤＵ装置、６２  司令員用の運転要領表示用ＶＤＵ装置、７  運転データ収集機能部、８  運転管理表示機能部、９  運転用ＶＤＵ装置、１０  運転操作記録データベース、１１  プロセスデータのデータベース、１２  運転要領表示用ＶＤＵ装置、１３  運転要領表示機能部、１３１  複数画面同時表示機能部、１３２  画面送信機能部、１３３  運転コンソール参照履歴表示機能部、１４  運転要領項目データベース、１５  運転要領検索機能部、１６  運転要領参照記録機能部、１７  運転員参照記録データベース、  １８  運転システム専用ネットワーク、１９  外部データベースである運転員参照記録データベース、２０  参照記録出力機能部、２１  外部データベースである運転操作記録データベース、２２  運転操作記録出力機能部、２３  外部データベースであるプロセスデータのデータベース、２４  プロセスデータ出力機能部、２５  訓練用プラント運転管理システム、２６  訓練用運転要領表示システム、２７  運転訓練教官用コンソール、２８  発電所プラント模擬装置、２９    プラント模擬ネットワーク、３０  参照記録入出力機能部、３１  実プラントデータ入力機能部、３２  記録比較機能部。
【図１】
0005597047.tif 000002
【図２】
0005597047.tif 000003
【図３】
0005597047.tif 000004
【図４】
0005597047.tif 000005
【図５】
0005597047.tif 000006
【図６】
0005597047.tif 000007
【図７】
0005597047.tif 000008
【図８】
0005597047.tif 000009
【図９】
0005597047.tif 000010
【図１０】
0005597047.tif 000011
【図１１】
0005597047.tif 000012